(57)【要約】【課題】異常を感知する必要がある場合に施設内に設置し、異常を感知する必要がない場合に施設内から撤去可能な動型感知装置を提供する。【解決手段】施設の異常を感知する移動型感知装置１であって、施設内に設置可能、かつ移動可能な支持手段２と、支持手段２によって支持されるとともに、異常を感知する感知器１５と、感知器１５が感知した異常信号を受信する受信器２０とを備えている。支持手段２は、伸縮可能に構成されている。異常を感知する必要がある夜間等に施設内に設置し、異常を感知する必要がある昼間等に施設内から撤去することができ。【選択図】  図１
2013117912.tif 000002
【特許請求の範囲】
【請求項１】
施設の異常を感知する移動型感知装置であって、
前記施設内に設置可能、かつ移動可能な支持手段と、該支持手段によって支持されるとともに、異常を感知する感知器と、該感知器が感知した異常信号を受信する受信器とを備えていることを特徴とする移動型感知装置。
【請求項２】
前記支持手段は、伸縮可能に構成されていることを特徴とする請求項１に記載の移動型感知装置。
【請求項３】
前記支持手段は、伸縮可能な支持軸と、該支持軸を支持する複数本の脚とからなる三脚であって、前記支持軸の上端に前記感知器が取り付けられる感知器支持部が設けられていることを特徴とする請求項２に記載の移動型感知装置。
【請求項４】
前記感知器支持部は、水平方向及び鉛直方向の角度調整が可能に構成されていることを特徴とする請求項３に記載の移動型感知装置。
【請求項５】
前記施設は、文化財等の歴史上又は芸術上の価値の高い建造物であることを特徴とする請求項１〜４の何れか１項に記載の移動型感知装置。
【請求項６】
請求項１〜５の何れか１項に記載の移動型感知装置を用いた施設の異常を感知する施設の異常感知方法であって、
施設内が無人化して異常感知が必要な場合に、請求項１〜５の何れか１項に記載の移動型感知装置を施設内に設置し、
施設内が有人化して異常感知が不要な場合に、請求項１〜５の何れか１項に記載の移動型感知装置を施設内から撤去することを特徴とする施設の異常感知方法。
【発明の詳細な説明】
【技術分野】
【０００１】
本発明は、文化財等の歴史上又は芸術上の価値が高い建造物等の施設内の異常を感知するのに有効な移動型感知装置、及び施設の異常感知方法に関する。
【背景技術】
【０００２】
建造物等の施設内には、異常を感知する感知器（例えば、火災の発生による炎、煙、熱等を感知する火災感知器、侵入者を感知する防犯感知器等）が設置されており、これらの感知器が感知した異常信号に基づいて、各種の対策（例えば、消化活動等の防火対策、侵入者への警告等の防犯対策等）を採っている。
【０００３】
この種の感知器を用いた防火、防犯対策の例が特許文献１、２に開示されている。特許文献１に記載の防火対策（防災管理システム）は、警戒区域に設置された火災感知器を受信機から引き出された感知器回線に接続し、火災感知器の火災検出時に感知器回線に発報電流を流すことにより発報信号を受信機に送って警報を出力させる防災管理システムであって、警戒区域に設置され、火災検出時に火災の発報を示す電文信号を送信する無線式感知器と、無線式感知器からの電文信号を中継する電波中継器と、感知器回線に接続され、無線式感知器から送信された電文信号又は電波中継器を経由して、無線式感知器から送信された電文信号を受信し、受信電文から火災発報を判別したときに感知器回線に発報電流を流すことにより、発報信号を受信機に送信する無線受信用中継器とを設けたものである。
【０００４】
また、特許文献２に記載の防犯対策（ケース類の防犯装置）は、扉の旋錠、開錠操作は鍵でなく、ケース類に設置した防犯システム解除機構を使用して、制御装置の作動により、扉ロック解除と状態監視機構の作動により扉をロック状態に戻すとともに、状態監視機構の感知器が異常を感知し、警報音により警告することを基本とした監視装置で、防犯システムの各機構をケース類に実装して防犯装置として使用することにより、ケース類の扉の閉鎖忘れや、不正な方法で開けられたり、鍵を不正な方法で複製されることを防止するように構成したものである。
【先行技術文献】
【特許文献】
【０００５】
【特許文献１】特開２０１１−９６１６９号公報
【特許文献２】特開２００３−５１０７３号公報
【発明の概要】
【発明が解決しようとする課題】
【０００６】
ところで、特許文献１に記載の防火対策（防災管理システム）は、警戒区域に、無線式感知器、電波中継器、無線受信用中継器、及び受信機を設置する必要があり、また、火災感知器と受信機とを接続する感知器回線を配線する必要がある。また、特許文献２に記載の防犯対策（ケース類の防犯装置）は、防犯システムの各機構（防犯システム解除機構、制御装置、状態監視機構、感知器）をケース類に実装する必要がある。
【０００７】
このため、防火対策及び防犯対策の工事に多大な労力、時間、及び費用がかかる。また、対象の建造物が文化財（重要文化財、国宝等）等の歴史上又は芸術上の価値の高い施設の場合には、感知器等の設置場所が制限されることから、人目につきやすい場所に設置せざるを得ないことがあり、また、感知器や配線を取り付けることにより、建造物等の施設に傷つけたり、美観を損ねたり、文化財等としての価値を低減させるおそれがある。
【０００８】
本発明は、上記のような従来の問題に鑑みなされたものであって、文化財等の歴史上又は芸術上の価値が高い建造物等の施設であっても、建造物等の施設に傷を付けたり、美観を損ねたり、文化財等としての価値を低減させたりすることなく、防火、防犯対策を施すことができる移動型感知装置、及び施設の異常感知方法を提供することを目的とする。
【課題を解決するための手段】
【０００９】
上記のような課題を解決するために、本発明は、以下のような手段を採用している。
すなわち、本発明は、施設の異常を感知する移動型感知装置であって、前記施設内に設置可能、かつ移動可能な支持手段と、該支持手段によって支持されるとともに、異常を感知する感知器と、該感知器が感知した異常信号を受信する受信器とを備えていることを特徴とする。
【００１０】
本発明の移動型感知装置によれば、施設内の異常を感知する必要がある夜間等に施設内に設置し、施設内の異常を感知する必要がない昼間等に施設内から撤去することができる。従って、感知器及び受信器を施設の屋根、天井、壁等に取り付ける必要がないので、施設の屋根、天井、壁等に傷を付けたり、美観を損ねたり、価値を低減させることなく、施設内の異常を感知することが可能となる。
【００１１】
また、本発明において、前記支持手段は、伸縮可能に構成されていることとしてもよい。
【００１２】
本発明の移動型感知装置によれば、支持手段を伸縮させることにより、感知器の設置高さを調整できるので、使用する感知器の感知範囲、指向性等の特性に応じて、感知器の高さを調整でき、各種のタイプの感知器を使用することができる。
【００１３】
さらに、本発明において、前記支持手段は、伸縮可能な支持軸と、該支持軸を支持する複数本の脚とからなる三脚であって、前記支持軸の上端に前記感知器が取り付けられる感知器支持部が設けられていることとしてもよい。
【００１４】
本発明の移動型感知装置によれば、支持軸を伸縮させることにより、感知器の高さを容易に調整できるとともに、三脚を開閉させることにより、施設内への設置、撤去を容易に行うことができる。
【００１５】
さらに、本発明において、前記感知器支持部は、水平方向及び鉛直方向の角度調整が可能に構成されていることとしてもよい。
【００１６】
本発明の移動型感知装置によれば、使用する感知器の感知範囲及び指向性等の特性に応じて、感知器支持部の水平方向及び鉛直方向の角度を調整することができるので、特性の異なる各種の感知器を使用することができる。
【００１７】
さらに、本発明において、前記施設は、文化財等の歴史上又は芸術上の価値の高い建造物であることとしてもよい。
【００１８】
本発明の移動型感知装置によれば、施設が文化財等の歴史上又は芸術上の価値の高い建造物の場合には、建造物の屋根、天井、壁等に傷をつけたり、美観を損ねたり、価値を低減させることなく、建造物に異常を感知する対策を施すことができる。
【００１９】
さらに、本発明は、請求項１〜５の何れか１項に記載の移動型感知装置を用いた施設の異常を感知する施設の異常感知方法であって、施設内が無人化して異常感知が必要な場合に、請求項１〜５の何れか１項に記載の移動型感知装置を施設内に設置し、施設内が有人化して異常感知が不要な場合に、請求項１〜５の何れか１項に記載の移動型感知装置を施設内から撤去することを特徴とする。
【００２０】
本発明の施設の異常感知方法によれば、施設内が無人化して異常を感知する必要がある場合には、移動型感知装置を施設内に設置することにより、施設内の異常を感知することができる。また、施設内が有人化して異常を感知する必要がない場合には、移動型感知装置を施設内から撤去することができる。
【発明の効果】
【００２１】
以上、説明したように、本発明の移動型感知装置、及び施設の異常感知方法によれば、施設内が無人化して異常を感知する必要がある場合には、施設内に設置することにより、施設内の異常を感知することができる。また、施設内が有人化して異常を感知する必要がない場合には、施設内から撤去することができる。従って、施設内の屋根、天井、壁等に傷を付けることなく、美観を損ねることなく、価値を低減させることなく、施設に異常を感知する対策を施すことができる。
【図面の簡単な説明】
【００２２】
【図１】本発明による移動型感知装置の一実施の形態を示した概略図であって、対象の施設としての建造物の室内に設置した状態を示した概略図である。
【図２】図１の移動型感知装置を建造物の室内から撤去した状態を示した概略図である。
【発明を実施するための形態】
【００２３】
以下、図面を参照しながら本発明の実施の形態について説明する。
図１及び図２には、本発明による移動型感知装置、及び施設の異常感知方法の一実施の形態が示されている。本実施の形態の移動型感知装置、及び施設の異常感知方法は、施設内に異常を感知する対策（防火、防犯対策等）を施すのに適用可能なものであって、特に、対象の施設が文化財（重要文化財、国宝等）等の歴史上又は芸術上の価値の高い建造物等に有効なものである。
【００２４】
本実施の形態の移動型感知装置１は、施設の所定の位置（本実施の形態では建物の室内２５）に設置可能、かつ移動可能な支持手段２と、支持手段２によって支持される感知器１５と、感知器１５が感知した異常信号を受信する受信器２０とを備えている。
なお、ここで、施設とは、施設内の建造物（建物等）、及び敷地を含むものとする。
【００２５】
支持手段２は、例えば、三脚３であって、架台４と、架台４に開閉自在に取り付けられる３本の脚３と、架台４の中心部を挿通する支持軸６と、支持軸６の上端に設けられる感知器支持部１３とから構成されている。
【００２６】
架台４は、円板状をなすものであって、周面に各脚５の上端部が連結ピン（図示せず）を介して回動自在に連結され、各脚５を連結ピンを中心として、架台４の中心から離れる外方向又は架台４の中心に近づく内方向に回動させることにより、各脚５を開閉させることができる。
【００２７】
各脚５と後述する支持軸６との間には、ステー１１が開閉自在にそれぞれ設けられ、各脚５を開いた状態で各ステー１１を開くことにより、３本の脚５を開いた状態に固定することができる。各脚５の先端には、石突１２がそれぞれ設けられている。
【００２８】
支持軸６は、架台４の中心部を上下方向に挿通する外パイプ７と、外パイプ７の内側にスライド自在に挿着される内パイプ８とから構成され、外パイプ７の下端と各脚５との間にステー１１がそれぞれ設けられている。支持軸６の外パイプ７に対して内パイプ８を相対的にスライドさせることにより支持軸６を伸縮させることができ、三脚３の全高を調整することができる。架台４には、架台４と外パイプ７との間を固定するロックボルト９が設けられ、このロックボルト９を締め付けることにより、３本の脚５及びステー１１を開いた状態に固定することができる。
【００２９】
支持軸６の外パイプ７の上端部には、外パイプ７と内パイプ８との間を固定するロックボルト１０が設けられ、このロックボルト１０を締め付けることにより、内パイプ８が外パイプ７から所定の長さ突出した状態に固定することができ、支持軸６を所定の長さに固定することができ、三脚３の全高を所定の高さに固定することができる。
【００３０】
感知器支持部１３は、例えば板状の支持板１４から構成されるものであって、支持板１４の板面が鉛直方向を向くように、支持軸６の内パイプ８の上端にねじ等によって取り付けられ、この支持板１４の前面に感知器１５が取り付けられている。
【００３１】
感知器１５は、無線式の感知器１５であって、異常を感知する感知部１６と、感知部１６が感知した異常信号を送信する送信部１７と、感知部１６及び送信部１７の電源１８（例えば、電池）とから構成されている。
【００３２】
なお、本実施の形態においては、感知器１５として、火災発生の際に炎、熱、煙を感知する火災センサー、及び建物の室内２５への侵入者を感知する人感センサーを用いているが、これらのセンサーに限定することなく、建物内の様々な異常を感知するセンサーを感知器１５として用いてもよい。
【００３３】
感知器１５には、市販の各種のタイプの無線式の感知器１５を使用することができる。但し、使用する感知器１５によって感知範囲、指向性等の特性が異なるので、各種のタイプの感知器１５が使用できるようにするためには、感知器支持部１３の角度を調整可能に構成するのが好ましい。
【００３４】
感知器支持部１３の角度を調整可能に構成するには、例えば、鉛直方向及び水平方向の角度調整可能な調整治具（図示せず）を内パイプ８の上端に取り付け、この調整治具に感知器支持部１３の支持板１４を取り付け、調整治具の鉛直方向及び水平方向の角度を調整することにより、支持板１４を介して感知器１５の水平方向及び鉛直方向の角度を調整すればよい。
【００３５】
受信器２０は、無線式の受信器２０であって、例えば、感知器１５から送信された異常信号を受信する受信部２１と、受信部２１が受信した異常信号を送信する送信部２２と、受信部２１及び送信部２２の電源２３（例えば、電池）と、受信器２０をＯＮ−ＯＦＦさせる電源スイッチ２４とから構成されている。
【００３６】
受信器２０が受信した異常信号を警報器（図示せず）に送信することにより、警報器が作動して各種の警報を発し、建物の室内２５の異常を知らせることができる。また、受信器２０が受信した異常信号をコントロールセンター（図示せず）に送信し、異常信号に基づいてコントロールセンターから関係機関（消防、警察等）へ通報する等の対策を採ってもよい。
【００３７】
そして、上記のように構成した本実施の形態の移動型感知装置１を用いて、建物の室内２５が無人となる夜間等に異常を感知するには、図１に示すように、建物の室２５内に移動型感知装置１を搬入し、三脚３の３本の脚５を開いて、各ステー１１を開くことにより３本の脚５を開いた状態に固定し、この状態で三脚３を室内２５の隅等の所定の位置に設置する。
【００３８】
次に、支持軸６の内パイプ８を上方にスライドさせて、内パイプ８の外パイプ７からの突出長さを調整することにより三脚３の全高を調整し、ロックボルト１０で外パイプ７と内パイプ８との間を固定することにより、感知器支持部１３に取り付けられている感知器１５を室内２５の所定の高さに位置決めする。
【００３９】
次に、感知器１５からの信号を受信可能な位置（例えば、戸棚等）に受信器２０を配置し、受信器２０の電源スイッチ２４をＯＮにする。これにより、感知器１５及び受信器２０が作動状態となり、感知器１５で室内２５の異常（例えば、火災の発生による炎、熱、煙、室内２５への侵入者等）を感知し、感知器１５が感知した異常信号を受信器２０に送信することが可能となり、受信器２０を介して警報器を作動させて警報を発したり、受信器２０からの異常信号に基づいてコントロールセンターを介して関係機関に通報する等の対策を採ることができる。
【００４０】
また、建物の室内２５に人々が出入りする昼間等のように、建物の室内２５の異常を感知する必要がない場合には、図２に示すように、移動型感知装置１の受信器２０の電源スイッチ２４をＯＦＦにし、移動型感知装置１の支持軸６のロックボルト１０を緩めて、内パイプ８を上方にスライドさせて外パイプ７内に挿入することにより支持軸６の全長を短くするとともに、三脚３の３本の脚を閉じた状態として室内２５から撤去し、室内２５に隣接する物置２６の内部に収納する。
【００４１】
上記のように構成した本実施の形態の移動型感知装置、及び施設内の異常感知方法にあっては、異常感知が必要になる建物の内部が無人化する夜間等には、移動型感知装置１を建物の室内２５に搬入して室内２５の所定の位置に設置することができ、異常を感知する必要がない建物の内部が有人化する昼間等には、移動型感知装置１を建物の室内２５から撤去して物置２６等の内部に収納できることになる。また、無線式の感知器１５及び受信器２０を使用しているので、配線が不要となる。
【００４２】
従って、感知器１５、受信器２０を建物の屋根、天井、壁等への取り付け、配線等の工事が不要となるので、建物に異常を感知する対策を施す費用を大幅に削減することができる。
【００４３】
また、感知器１５、受信器２０の取り付け、配線等の工事が不要となるので、対象の施設が文化財（重要文化財、国宝等）等の歴史上又は芸術上の価値の高い建造物等であっても、建造物等の屋根、壁、床等に傷を付けたり、美観を損ねたりするようなことはなく、建造物等の歴史上又は芸術上の価値を保全した状態で、建造物等に異常を感知する対策（防火、防犯対策等）を施すことができる。
【００４４】
さらに、感知器１５及び受信器２０の電源１８、２３の交換等のメンテナンスを行う場合に、感知器１５及び受信器２０が施設としての建物に固定されていないので、メンテナンスを容易に、短時間で行うことができ、メンテナンスに要する費用を大幅に削減することができる。
【００４５】
なお、前記の説明においては、支持手段２に三脚３を用いたが、感知器１５を移動可能、かつ昇降可能に支持できるものであればよく、基板の上部に１本の伸縮可能な棒状のものを立設したものであってもよい。
【００４６】
また、本実施の形態においては、支持手段２を人為的に移動可能に構成したが、支持手段２にキャスターを取り付けて、支持手段２を無線によって自走可能に構成してもよい。
【符号の説明】
【００４７】
１  移動型感知装置
２  支持手段
３  三脚
４  架台
５  脚
６  支持軸
７  外パイプ
８  内パイプ
９  ロックボルト
１０  ロックボルト
１１  ステー
１２  石突
１３  感知器支持部
１４  支持板
１５  感知器
１６  感知部
１７  送信部
１８  電源
２０  受信器
２１  受信部
２２  送信部
２３  電源
２４  電源スイッチ
２５  室内
２６  物置
【図１】
2013117912.tif 000003
【図２】
2013117912.tif 000004